(57)【特許請求の範囲】
【請求項１】
周波数毎に与えられた複数のスロットと、前記スロットにガードビットを備えた移動体通信機において、基準周波数で発振する基準周波数発振器と、前記基準周波数を直接位相比較する位相比較器と、前記スロットの周波数を切換える周波数設定装置と、高速処理によるノイズを低減するために前記周波数設定装置の電源を分離して電源電圧を他の回路の電源電圧より低くして供給する電源回路と、スプリアス及び波形に重畳するノイズを抑圧させるためのラグリードフィルタ、ラグフィルタおよび抵抗器付きノッチ回路を有するＬＰＦと、を有する分数分周波方式の超高速シンセサイザを備え、前記周波数設定装置がノイズを抑えつつ高速処理を行うことにより、前記スロット間のガードビット期間内で直後のスロットの周波数を切換えることを特徴とする移動体通信機。
【発明の詳細な説明】
【０００１】
【発明の属する技術分野】
本発明は、周波数設定装置を備えた移動体通信機に関し、特にガードビットにおいて直後のスロットの周波数切換えを可能としたものである。
【０００２】
【従来の技術】
従来のＰＨＳで用いている周波数シンセサイザではスロットごとの周波数を設定するために１スロット分の625usよりも短い600us以下の周波数切換え時間が必要であった。このことにより、８スロットあっても送受信が可能なスロットは１スロットごとの２スロットのみに限られてしまう。
【０００３】
【発明が解決しようとする課題】
従来のＰＨＳで用いられている周波数シンセサイザでは周波数切換え時間が600us以下であるため１度にすべてのスロット(８スロット)を使用して送受信を行うことが困難であるという問題点があった。
【０００４】
本発明は、上記従来の問題点を解決するためのものであり、ガードビットにおいて直後のスロットの周波数を切換えることができる周波数設定装置を備えた移動体通信機を提供することを目的とする。
【０００５】
【課題を解決するための手段】
本発明の請求項１に記載の発明は、周波数毎に与えられた複数のスロットと、前記スロットにガードビットを備えた移動体通信機において、基準周波数で発振する基準周波数発振器と、前記基準周波数を直接位相比較する位相比較器と、前記スロットの周波数を切換える周波数設定装置と、高速処理によるノイズを低減するために前記周波数設定装置の電源を分離して電源電圧を他の回路の電源電圧より低くして供給する電源回路と、スプリアス及び波形に重畳するノイズを抑圧させるためのラグリードフィルタ、ラグフィルタおよび抵抗器付きノッチ回路を有するＬＰＦと、を有する分数分周波方式の超高速シンセサイザを備え、前記周波数設定装置がノイズを抑えつつ高速処理を行うことにより、前記スロット間のガードビット期間内で直後のスロットの周波数を切換えることを特徴とする。この構成によれば、位相比較を高速に行うことができ、しかもノイズを抑圧させて高Ｃ／Ｎを実現させ、ガードビットでスロットの周波数切換えが可能となる。
【００１１】
【発明の実施の形態】
以下、本発明の実施の形態について、図面を参照して説明する。
【００１２】
図１は、従来の周波数シンセサイザにおけるスロットごとの周波数設定と、本発明に実施形態に係る超高速シンセサイザを用いたガードビットごとの周波数設定方法を対比して説明するための図である。
【００１３】
すなわち従来の周波数シンセサイザを用いた場合、周波数設定時間が600us以下であるため周波数設定を該当するスロットの前スロットで行う必要がある。
【００１４】
よって、送信区間４スロット、受信区間４スロットの内、１度に使用できるスロットは図１に示す端末２の送受信に係る２スロットとなってしまう。
【００１５】
しかし本発明である超高速シンセサイザを用いたガードビットごとの周波数設定（これについては後述する）によれば、周波数設定をガードビットで設定することが可能となるので、図１の端末１〜端末４のすべてのスロットが１度に使用することが可能になる。
【００１６】
図２に本発明である超高速シンセサイザを用いたガードビットごとの周波数設定方法の例を示すものである。図２においては、直前のガードビットタイミングの頭のところでＰＬＬの引き込み動作が開始され、ガードビットのタイミング内（30us以下）においてロックアップを完了するものである。このこの方法により、周波数設定をガードビットで設定することが出来、すべてのスロットが１度に使用することが可能になる。
【００１７】
図３は、超高速周波数シンセサイザの構成を示すブロック図である。図３において超高速シンセサイザは、1st-シンセサイザ部30と2nd-シンセサイザ部40とに分離されており、1st-シンセサイザ部30は、1st-Ｒカウンタ１と、1st-位相比較器２と、1st-チャージポンプ３と、1st-ＡＮカウンタ４と、1st-プリスケーラ５と、分数分周方式の周波数設定を可能とするアキュームレータ（周波数設定装置）６と、1st-ＬＰＦ７と、1st-ＶＣＯ８とからなり、2nd-シンセサイザ部40は、2nd-Ｒカウンタ９と、第１の2nd-位相比較器10と、2nd-チャージポンプ11と、第２の2nd-位相比較器12と、2nd-ＡＮカウンタ13と、2nd-プリスケーラ14と、2nd-ＬＰＦ15と、2nd-ＶＣＯ16とからなる。
【００１８】
そして、位相比較器は従来の周波数シンセサイザでは基準周波数19.2MHzを整数分周して300KHzで位相比較していたのを、本発明の超高速周波数シンセサイザにおいては、基準周波数19.2MHzを1st-位相比較器２で直接位相比較することができるようにすることによって分周数を減らし高速化を行っている。
【００１９】
また、比較周波数を19.2MHzで行うようにしているため、例えばPHSで使用するチャネルに設定を可能にするため、分数分周方式の周波数設定を可能とするアキュームレータ６を用い、このアキュームレータ６に対してコントローラ50から周波数データを入力する。従来のシンセサイザでは整数分周方式を使用しているため比較周波数毎の周波数設定しか出来ない。
【００２０】
上記のように比較周波数を19.2MHzで行っているためVCO出力波形に19.2MHzのスプリアスが発生しやすい、このスプリアスを抑圧するためと波形に重畳するノイズを削除するために1st-ＬＰＦ７としては、ラグリードフィルタ71、ラグフィルタ72の外に抵抗付きノッチ回路73を設ける。これににより、スプリアス及び波形に重畳するノイズを抑圧させて高C/Nを実現することができる。
【００２１】
また図４は、超高速シンセサイザを、ＩＦ受信部60と、直交変調器部70を一緒にして一つのＬＳＩに統合した構成を示したものである。図４において、超高速周波数シンセサイザでは比較周波数を10〜20MHzの基準周波数に対応可能としているため、アキュームレータ６において高速な処理が必要となり、そのため、他のブロックに影響を与えないためにＬＳＩ内部の電源を分離して、アキュームレータ６において電源電圧90を他の電源電圧80より下げることでアキュームレータ６より発生するノイズを低減させている。
【００２２】
【発明の効果】
このように本発明の請求項１に記載の発明は、周波数毎に与えられた複数のスロットと、前記スロットにガードビットを備えた移動体通信機において、基準周波数で発振する基準周波数発振器と、前記基準周波数を直接位相比較する位相比較器と、前記スロットの周波数を切換える周波数設定装置と、高速処理によるノイズを低減するために前記周波数設定装置の電源を分離して電源電圧を他の回路の電源電圧より低くして供給する電源回路と、スプリアス及び波形に重畳するノイズを抑圧させるためのラグリードフィルタ、ラグフィルタおよび抵抗器付きノッチ回路を有するＬＰＦと、を有する分数分周波方式の超高速シンセサイザを備え、前記周波数設定装置がノイズを抑えつつ高速処理を行うことにより、前記スロット間のガードビット期間内で直後のスロットの周波数を切換えることを特徴とする。この構成によれば、位相比較を高速に行うことができ、しかもノイズを抑圧させて高Ｃ／Ｎを実現させ、ガードビットでスロットの周波数切換えが可能となり、一度にすべてのスロットを使用することが可能となるという効果を有する。
【図面の簡単な説明】
【図１】従来の周波数シンセサイザにおけるスロットごとの周波数設定と、本発明に実施形態に係る超高速シンセサイザを用いたガードビットごとの周波数設定方法を対比して説明するための図、
【図２】本発明に実施形態に係る超高速シンセサイザを用いたガードビットごとの周波数設定方法を説明するための図、
【図３】本発明の実施形態に係る超高速周波数シンセサイザの構成を示すブロック図、
【図４】本発明の実施形態に係る超高速シンセサイザを、ＩＦ受信部と、直交変調器部を一緒にして一つのＬＳＩに統合した構成を示すブロック図である。
【符号の説明】
１  1st-Ｒカウンタ
２  1st-位相比較器
３  1st-チャージポンプ
４  1st-ＮＡカウンタ
５  1st-プリスケーラ
６  アキュームレータ(周波数設定装置)
７  1st-ＬＰＦ
８  1st-ＶＣＯ
９  2nd-Ｒカウンタ
10  第１の2nd-位相比較器
11  2nd-チャージポンプ
12  第２の2nd-位相比較器
13  2nd-ＮＡカウンタ
14  2nd-プリスケーラ
15  2nd-ＬＰＦ
16  2nd-ＶＣＯ
20  TCXO(基準周波数発振部)
30  シンセサイザ部
40  シンセサイザ部
50  コントローラ
60  ＩＦ受信部
70  直交変調器部
71  ラグリードフィルタ
72  ラグフィルタ
73  抵抗付きノッチ回路
80  一般電源電圧供給手段
90  低電源電圧供給手段
【図１】
0003871017.tif 000002
【図２】
0003871017.tif 000003
【図３】
0003871017.tif 000004
【図４】
0003871017.tif 000005